(57)【要約】【課題】  撮影画像の色分布の最適な画像の撮影を容易に撮影及び確認する撮像装置を提供する。【解決手段】  撮像装置において色分布図を表示することによって、利用者は好みや意図、場所に応じた最適な撮影の確認を視覚的に容易に行うことが可能となる。また、それに応じた画質パラメータの設定も撮影時に容易に可能となる。またさらに出力デバイスや出力色空間の色域に最適かどうか判断を行うことが容易となる。【選択図】  図１
2009088886.tif 000002
【特許請求の範囲】
【請求項１】
被写体からの光を撮像信号に変換する撮像素子と、
前記撮像信号を処理する信号処理回路と、
前記撮像信号から顔領域を検出する顔検出回路
を有する撮像装置であって、
色分布図を表示する表示手段と、
前記信号処理回路から出力された画像の顔領域の色評価値を取得する顔領域色評価値取得回路とを備え、
前記信号処理回路から出力された画像の顔領域の色分布を
前記色分布平面上に表示することを特徴とする撮像装置。
【請求項２】
前記表示手段は、前記撮像信号および検出した顔領域の画像信号とともに前記顔領域の色分布図を表示することを特徴とする請求項1に記載の撮像装置。
【請求項３】
前記表示手段は、ユーザインターフェース手段の操作に基づいて前記撮像素子からの撮像信号および検出した顔領域の画像信号と、前記顔領域の色分布図の表示画面を切り替えることを特徴とする請求項1に記載の撮像装置。
【請求項４】
前記表示手段は、前記色分布図を前記撮像画像の上に透過表示することを特徴とする請求項1に記載の撮像装置。
【請求項５】
前記色分布図は、ＣＩＥ表色系であるLab表色系またはLuv表色系またはLCH表色系であり、その3値のうち、いずれかの2つの値で平面が構成されることを特徴とする請求項１〜請求項４のいずれかに記載の撮像装置。
【請求項６】
前記色分布図は、2つの色差信号であることを特徴とする請求項１〜請求項４のいずれかに記載の撮像装置。
【請求項７】
前記色差信号はR-Y,B-Y、UV信号、CrCb信号のいずれかであることを特徴とする請求項６に記載の撮像装置。
【請求項８】
前記色分布図は、RGB信号の成分比率を示した図であることを特徴とする請求項１〜請求項４のいずれかに記載の撮像装置。
【請求項９】
前記色分布図上に、
設定色空間での色評価値を表示すること
を特徴とする請求項１〜請求項８のいずれかに記載の撮像装置。
【請求項１０】
前記色空間は、
sRGBまたはAdobeRGBであることを特徴とする
請求項９に記載の撮像装置。
【請求項１１】
前記色分布図上に、標準的な肌色色相範囲を表示することを特徴とする
請求項１〜請求項１０のいずれかに記載の撮像装置。
【請求項１２】
前記標準的な肌色色相範囲は人種設定によって可変表示することを特徴とする
請求項11に記載の撮像装置。
【請求項１３】
前記色分布図、ユーザインターフェースにより部分拡大表示することが可能であることを特徴とする請求項１〜請求項１２のいずれかに記載の撮像装置。
【請求項１４】
前記撮像装置は、
画像パラメータをユーザインターフェースにより設定可能な画像パラメータ設定手段を有することを特徴とする請求項１〜請求項１３のいずれかに記載の撮像装置。
【請求項１５】
前記ユーザインターフェースは、
色再現またはコントラストまたはホワイトバランスであることを特徴とする請求項１４に記載の撮像装置。
【請求項１６】
前記ホワイトバランスを指定するユーザインターフェースは、
前記ホワイトバランスモードを指定することでなされること
を特徴とする請求項15に記載の撮像装置。
【請求項１７】
前記色再現を指定するユーザインターフェースは、
色相または彩度であること
を特徴とする請求項15に記載の撮像装置。
【請求項１８】
前記撮像装置は、
画像を拡大・縮小するユーザインターフェースを有し、前記ユーザインターフェースにより拡大縮小された画像領域に対する色分布表示であることを
特徴とする請求項１〜請求項１７のいずれかに記載の撮像装置。
【請求項１９】
前記撮像装置は、
顔領域を選択するユーザインターフェースを有し、前記指定領域に対する色分布表示であることを
特徴とする請求項１〜請求項１８のいずれかに記載の撮像装置。
【発明の詳細な説明】
【技術分野】
【０００１】
本発明は、撮像装置及びその制御方法に関し、更に詳しくは、顔検出を行い、顔検出した顔の色合いを表示可能な機能を有する撮像装置に関するものである。
【背景技術】
【０００２】
従来、撮像装置において利用者が画像を確認する際には、液晶画面上の色をみて、画像確認を行っていた。
【０００３】
また、その他の技術として、近年のデジタルカメラでは、撮影画像やEVF画像に対してのヒストグラムを表示して、明るさの適正具合やRGBのヒストグラムを表示させることで、色味やホワイトバランスを確認させること手段をもつものがあった。
【０００４】
一方、近年、デジタルカメラでは、撮影時に顔検出を行い、検出された顔の大きさや明るさ等に応じて、撮影や画像処理に最適な設定を行うものがある。
【０００５】
例えば顔の検出結果を利用するデジタルカメラとして、特許文献１に、人の顔を検出し、検出された顔領域に焦点と露出を合わせるものが開示されている。
【０００６】
また、特許文献２には、顔領域の色を抽出して、その肌色領域の色相の補正を行うものが開示されている。
【０００７】
また、特許文献３には、顔が検出された場合に顔領域以外の領域でホワイトバランス（ＷＢ）の補正値を取得することで、顔領域の色が「白」と誤判別されることを防ぎ、ホワイトバランスの性能を向上させる技術が開示されている。
【０００８】
このように従来、顔検出の機能を利用して、顔領域の露出が適正になるように自動露出制御（ＡＥ）処理やフラッシュの調光の制御を行ったり、顔領域に合焦するように自動焦点調節（ＡＦ）処理するものが提案されている。更に、顔領域の色が所望の色になるようにホワイトバランスや色再現の調整を行うことより、より好ましい画像を得ることが可能となる。
【０００９】
このようにして得た顔検出結果をＡＦ、ＡＥ、ＷＢ等に利用することによって、人を撮影する場合には、より顔に適したＡＦ、ＡＥ、ＷＢ等を行うことができる。
【００１０】
撮影動作において顔検出結果をＡＦに利用する場合、大まかな顔の領域の判別ができていればよい。これは、検出すべき領域に顔領域が含まれていれば、その領域のコントラスト値が最大になるようにレンズの制御ができるため、ＡＦの精度としては問題無いからである。従って、ＡＦの制御を行うための顔検出は、顔検出されるべき領域が厳密に特定されている必要はない。
【００１１】
ＡＥにおいても同様に、露出値を計算する際に、大まかな顔領域の判別がなされていれば、顔領域を含む領域における露出値を合わせることで、露出を最適に制御することが可能である。
【００１２】
一方、ホワイトバランスの計算において顔検出結果を利用する手法は、例えば、顔領域以外の領域を用いてホワイトバランスの計算を行う手法（特許文献３）と、顔領域を積極的に検出し、その領域の顔色を最適にするような手法（特許文献２）がある。
【特許文献１】特開２００５−８６６８号公報
【特許文献２】特開２００４−１８０１１４号公報
【特許文献３】特開２００３−１８９３２５号公報
【特許文献４】特開平１０−２３２９３４号公報
【特許文献５】特開２０００−４８１８４号公報
【発明の開示】
【発明が解決しようとする課題】
【００１３】
しかし、これら顔検出を用いた画像補正を行った結果を確認しようとした場合、デジタルカメラ等の液晶画面は一般的に小さく、画像を確認するにはあまり適していない。また、被写体の色味を判断することが難しい。
【００１４】
またヒストグラム表示も、明るさレベルを把握するには適しているが、色合いやホワイトバランスの適正具合を把握するにはRGBの各々独立したレベルを見るだけでは、直感的でなく難しい。
【００１５】
また、撮像信号の色合いやホワイトバランスに関する設定を行う際にも同様に、液晶上での画像やヒストグラム表示では全体のカラーバランスを視覚的に把握することが難しいという問題点があった。
【課題を解決するための手段】
【００１６】
被写体からの光を撮像信号に変換する撮像素子と、前記撮像信号を処理する信号処理回路と、前記撮像信号から顔領域を検出する顔検出回路
を有する撮像装置であって、色分布図を表示する表示手段と、前記信号処理回路から出力された画像の顔領域の色評価値を取得する顔領域色評価値取得回路とを備え、前記信号処理回路から出力された画像の顔領域の色分布を前記色分布平面上に表示することを特徴とする撮像装置である。
【００１７】
前記表示手段は、前記撮像信号および検出した顔領域の画像信号とともに前記顔領域の色分布図を表示してもよいし、前記表示手段は、ユーザインターフェース手段の操作に基づいて前記撮像素子からの撮像信号および検出した顔領域の画像信号と、前記顔領域の色分布図の表示画面を切り替えてもよいし、前記表示手段は、前記色分布図を前記撮像画像の上に透過表示してもよい。
【００１８】
前記色分布図は、ＣＩＥ表色系であるLab表色系またはLuv表色系またはLCH表色系であり、その3値のうち、いずれかの2つの値で平面が構成してもよいし、
2つの色差信号であるR-Y,B-Y、UV信号、CrCb信号のいずれかであってもよいし、RGB信号の成分比率を示した図であってもよい。
【００１９】
また、これらの色空間上の色分布図上に、標準的な肌色色相範囲を表示してもよい。もちろん、これらの標準的な肌色色相範囲は人種設定によって可変表示であってもよいことはいうまでもない。
【００２０】
前記色分布図は、ユーザインターフェースにより部分拡大表示することが可能であってもよい。
【００２１】
前記撮像装置は、色再現またはコントラストまたはホワイトバランスなどの画像パラメータをユーザインターフェースにより設定可能な画像パラメータ設定手段を有し、前記ユーザインターフェースは、色相または彩度を調整するものであっても良い。
【００２２】
前記撮像装置は、画像を拡大・縮小するユーザインターフェースを有し、前記ユーザインターフェースにより拡大縮小された画像領域に対する色分布表示であってもよい。
【００２３】
前記撮像装置は、顔領域を指定するユーザインターフェースを有し、前記指定領域に対する色分布表示であってもよい。
【発明の効果】
【００２４】
以上のように、撮像装置において撮影時に顔検出された顔領域の色分布図を表示することによって、撮影者は好みや意図、場所に応じた最適な色合いであるかを確認することが可能であり、もし意図どおりでなければその場ですぐに再撮影が可能となるし、最適な画質設定パラメータであるかを撮影時に撮影画像の色分布の確認をすることで容易に判断することが可能となる。
【発明を実施するための最良の形態】
【００２５】
＜第１の実施形態＞
図１は本発明の第１の実施形態における撮像装置の概略構成を示すブロック図である。
【００２６】
図１において、１００は、撮像装置であり、具体的にはディジタルスチルカメラ等である。撮像装置１００は、複数の色フィルタを有する撮像素子を利用しているため、光源の違いによる色調の変化を自動補正するオートホワイトバランス（以下、ＡＷＢとする）機能を具備する。以下に、撮像装置１００の内部構成について説明する。
【００２７】
１０１は、撮像素子であり、例えばＣＣＤ（Ｃｈａｒｇｅ  Ｃｏｕｐｌｅｄ  Ｄｅｖｉｃｅ）センサやＣＭＯＳセンサなどであり、各画素上に色フィルターを有する。図２に、撮像素子１０１の有する色フィルタの配列例を示す。図２に示すように撮像素子１０１の有する色フィルタは、Ｒ、Ｇ１、Ｒ、Ｇ１、…（以下、Ｒ行とする）の次の行がＧ２、Ｂ、Ｇ２、Ｂ、…（以下、Ｂ行とする）であり、その次の行は再びＲ行で次はＢ行と繰り返す配列である原色ベイヤ型フィルタ配列である。以上の構成により撮像素子１０１は、色フィルタを通過した光量に応じた撮像信号（ディジタル信号）を出力する。尚、撮像素子１０１は、必要であればＡ／Ｄ変換回路などを具備することで、ディジタル信号である撮像信号を出力する。
【００２８】
１０２は、信号処理回路であり、撮像素子１０１から出力される撮像信号を処理して画像データを生成する。また、信号処理回路１０２は、ＡＷＢ処理を行う機能も有する。尚、信号処理回路１０２の詳細な構成については後述する。１０３は、バッファメモリであり、信号処理回路１０２が出力する画像データを格納する。１０４は、圧縮回路であり、バッファメモリ１０３より画像データを読み出して、所定の圧縮方式で画像データを圧縮した圧縮画像を出力する。尚、所定の圧縮方式とは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）方式などであり、この時、圧縮回路１０４は画像データを圧縮したＪＰＥＧ画像（圧縮画像）を出力する。
【００２９】
また、画像記録が行われる場合には、圧縮回路１０４が出力する圧縮画像を、記録装置１０５が、記録媒体１０６に記録する処理を行う。また、ＥＶＦ（Ｅｌｅｃｔｒｉｃ  Ｖｉｅｗ  Ｆｉｎｄｅｒ）時など画像記録を行わない場合にはバッファメモリ１０３に蓄えられた画像データは、表示制御回路１０８に入力される。表示制御回路１０８は、画像データをモニタ表示装置用に画像変換する。１０９は、Ｄ／Ａ変換器であり、表示制御回路１０８の出力するモニタ表示装置用のディジタル画像信号をＤ／Ａ（ディジタル／アナログ）変換した画像信号（アナログ）を出力する。１１０は、モニタ装置であり、Ｄ／Ａ変換器１０９の出力する画像信号を基に画像を表示する。
【００３０】
１１１は、システムコントローラであり、圧縮回路１０４や記録装置１０５や表示制御回路１０８や撮像装置１００内におけるデータの流れの制御を行う。１１２は、ユーザインターフェースであり、撮像装置１００を操作する利用者が入力する各種設定に関する変更指令や表示制御回路１０８における表示処理等をシステムコントローラ１１１へ伝達する。１１３は、データメモリであり、システムコントローラ１１１が読み出して実行可能なプログラムや、システムコントローラ１１１で処理するための種々のデータを格納する。
【００３１】
また、顔位置検出手段130は、顔領域を検出してその座標位置を出力する。また顔領域色分布解析手段１２０は、バッファメモリ103にある画像データを取得し、前記顔領域の色分布を解析し、その解析結果を色分布図生成手段121にて分布図を生成して、表示制御回路１０８に出力する。表示制御手段108は前記色分布手段と前記画像データと共に画面合成を行い、出力する。図３は前記表示画面の様子を示した図である。
【００３２】
120における色分布解析手段の動作について詳細に説明を行う。
【００３３】
色分布解析手段は、ある画像領域、例えば４×４ピクセル程度の微小画像領域のRGB信号平均値を算出し、その平均値からCIELAB色空間に変換を行う。下記に変換式を示す。ただし、下記色変換は画像データがsRGB色空間を想定しており、白色点はD65である。
【００３４】
ＲｓＲＧＢ’＝Ｒ８ｂｉｔ÷255
ＧｓＲＧＢ’＝Ｇ８ｂｉｔ÷255
ＢｓＲＧＢ’＝Ｂ８ｂｉｔ÷255
ｉｆ
ＲｓＲＧＢ＝ＲｓＲＧＢ’÷12.92，    ＲｓＲＧＢ’≦0.03928
ＧｓＲＧＢ＝ＧｓＲＧＢ’÷12.92，    ＧｓＲＧＢ’≦0.03928
ＢｓＲＧＢ＝ＢｓＲＧＢ’÷12.92，    ＢｓＲＧＢ’≦0.03928
ｅｌｓｅ
ＲｓＲＧＢ＝（（ＲｓＲＧＢ’＋0.055）÷1.055）＾（2.4），ＲｓＲＧＢ’＞0.03928
ＧｓＲＧＢ＝（（ＧｓＲＧＢ’＋0.055）÷1.055）＾（2.4），ＧｓＲＧＢ’＞0.03928
ＢｓＲＧＢ＝（（ＢｓＲＧＢ’＋0.055）÷1.055）＾（2.4），ＢｓＲＧＢ’＞0.03928
【００３５】
【数１】
2009088886.tif 000003
Ｘ０＝95.054;
Ｙ０＝100.000；
Ｚ０＝108.892；
ｉｆ
Ｘ’＝（（Ｘ＊100）／Ｘ０）＾（1／3），（Ｘ＊100）／Ｘ０）＞0.008856
Ｙ’＝（（Ｙ＊100）／Ｙ０）＾（1／3），（Ｙ＊100）／Ｙ０）＞0.008856
Ｚ’＝（（Ｚ＊100）／Ｚ０）＾（1／3），（Ｚ＊100）／Ｚ０）＞0.008856
ｅｌｓｅ
Ｘ’＝7.787＊（（Ｘ＊100）／Ｘ０）＋（16／116），0＜（Ｘ＊100）／Ｘ０）≦0.008856
Ｙ’＝7.787＊（（Ｙ＊100）／Ｙ０）＋（16／116），0＜（Ｙ＊100）／Ｙ０）≦0.008856
Ｚ’＝7.787＊（（Ｚ＊100）／Ｚ０）＋（16／116），0＜（Ｚ＊100）／Ｚ０）≦0.008856
Ｌ＊＝116.0＊Ｙ’−16.0／116
ａ＊＝500＊（Ｘ’−Ｙ’）
ｂ＊＝200＊（Ｙ’−Ｚ’）
また、画像データがAdobeRGB色空間の場合は、RGBからXYZに変換するマトリックスが以下に変わるだけで、他の部分の変換式は同じ。
【００３６】
【数２】
2009088886.tif 000004
また、CIELAB以外にもCIELCH空間の場合には、上記Labを用いて下記の変換式を用いればよい。
【００３７】
Ｌ＊＝Ｌ＊
Ｃ＝√（ａ＊×ａ＊＋ｂ＊×ｂ＊）
Ｈ＊＝ｔａｎ−１（ｂ＊／ａ＊）
図４はLと色相角Hとで色分布図を生成した例である。
【００３８】
また、CIELAB以外にもCIE1976均等色空間L*u*v*色空間の場合には、同様に変換式を用いてもよい。CIELUV色空間の変換式は、CIELAB色空間と同様、CIEにより一般的に定義されているものであり、ここでの説明は省略する。
【００３９】
また、CIE表色系以外にもYCｒCB空間の場合には、下記の変換式を用いればよい。
【００４０】
Ｙ＝0.3000＊Ｒ＋0.5900＊Ｇ＋0.1100＊Ｂ
Ｃｒ＝（Ｒ−Ｙ）＊0.713
Ｃｂ＝（Ｂ−Ｙ）＊0.564
また、CIELAB以外にもY、R-Y、B-Y空間の場合には、下記の変換式を用いればよい。
【００４１】
Ｙ＝0.3000＊Ｒ＋0.5900＊Ｇ＋0.1100＊Ｂ
Ｒ−Ｙ＝（Ｒ−Ｙ）
Ｂ−Ｙ＝（Ｂ−Ｙ）
また、RGB信号の成分比率を示す場合、座標を(i,j)とすると、
Ｙ＝0.3000＊Ｒ＋0.5900＊Ｇ＋0.1100＊Ｂ
ｉ＝Ｒ＊ｃｏｓ（0°）＋Ｇ＊ｃｏｓ（120°）＋Ｂ＊ｃｏｓ（240°）
ｊ＝Ｒ＊ｓｉｎ（0°）＋Ｇ＊ｓｉｎ（120°）＋Ｂ＊ｓｉｎ（240°）
また、色相角・彩度形式にする場合には、以下のような変換式で実現可能である。
【００４２】
輝度：Ｙ＝0.3000＊Ｒ＋0.5900＊Ｇ＋0.1100＊Ｂ
色相角：Ｈ＝ｔａｎ−１（ｊ／ｉ）
彩度：Ｓ＝√（ｊ×ｊ＋ｉ×ｉ）
上述した色変換ののち、本実施例ではa*b*平面を用いて説明を行う。
【００４３】
a*b*平面に対する度数分布を取得し色分布平面状に表示を行うことで、色相平面状に色分布の表示が可能である。その際、ある一定以上の度数にのみの場合に表示しても良いし、度数に応じて表示の色や点滅、等高線のように立体表示しても良い。
【００４４】
また、L*の範囲ごとに色分布度数を計算することで、輝度レベル毎に色相分布表示することが可能である。
【００４５】
また、色分布図の色分布表示は、上述の実施例と同様に、色分布を確認したい撮影画像とともに表示してもよいし、撮影画像とその色分布表示を不図示のスイッチによって切り替えるようにしてもよいし、撮影画像上に透過表示するようにしてもよい。
【００４６】
また、色分布図自体もユーザインターフェース112によって、部分拡大表示されてもよい。
【００４７】
また、画像表示領域がユーザインターフェース112によって拡大表示されている場合には、画像表示されている部分の色分布を表示しても良い。
【００４８】
また、画像表示領域がユーザインターフェース112によって画像の一部分の領域を選択されている場合には、選択領域部分の色分布を表示しても良い。
【００４９】
また図５に示すように顔検出結果が複数ある場合には、選択された顔領域の色評価値を出力してもよい。
【００５０】
また図７に示すように顔検出した顔色の分布とともに標準的な肌色の色味データを元に、標準的な肌色に対する彩度および色相の枠を表示してもよい。
【００５１】
標準的な肌色とは、一般的には、マンセル票色系で表現され、4YR-8YRの領域を標準的な肌色色相、1YR-4YRの領域を赤色の肌色色相、8YR-10YRの領域を黄色肌色色相の肌色とし、またC＝３以下で彩度が薄く、C＝５以上を彩度が濃いとする。またこれらの色票から、a*b*値を測定してH*との対応をとることで設定を行うことが可能である。
【００５２】
次に顔位置検出手段１３０の顔領域の検出方法について説明を行う。顔検出方法としては、例えば、ニュートラルネットワークに代表される学習を用いた方法や、目や鼻と言った物理的形状に特徴のある部位を画像領域からテンプレートマッチングで抽出する手法が知られている。他にも、肌の色や目の形といった画像特徴量を検出し、統計的手法を用いて解析する手法が挙げられる（例えば、特許文献４及び特許文献５を参照）。また、現在製品として提案されているものとしては、ウェーブレット変換と画像特徴量を利用して顔を検出する方法等や、テンプレートマッチング等を組み合わせた方法などがある。他にも多数の顔検出方法が提案されている。
【００５３】
ここで、顔検出方法の一例について、図9乃至図11を参照して説明する。なお、図10（ａ）は顔検出を行う対象画像を示している。
【００５４】
ステップＳ１０１では顔検出の対象画像から肌色の領域を抽出する。図11はＣＩＥＬＡＢのLa*b*色空間における代表色を示した色度図であり、図中、楕円は肌色である可能性が高い領域（以下、「肌色領域」と呼ぶ。）を示している。図10（ｂ）は、図10（ａ）に示す顔検出の対象画像から、肌色領域内の画素値を有する画像領域を抽出したものを示した図である。ステップＳ１０２で、抽出した画像に対してハイパスフィルタをかける。図10（ｃ）は抽出された図10（ｂ）の画像にハイパスフィルタ処理を施した概念を示す画像である。
【００５５】
ステップＳ１０３では、テンプレートマッチングを行って画像中における目の検出を行い、ステップＳ１０４では、検出した目の領域の位置関係から顔認識を行い、方向・大きさ等の特徴量の抽出を行う。図10（ｄ）は上述したようにして行われた顔検出結果として、顔検出枠を表示した場合を示す図である。
【００５６】
なお、図６は第１実施例における、標準肌色表示画面を表示した例を示す図であり、図９は本発明の第１実施例における顔検出フローチャートである。
【００５７】
＜第２の実施形態＞
第２実施例においては、カメラの画像パラメータと前記色相図を表示させることで、カメラの画質パラメータを容易設定することが可能になるシステムについて説明を行う。
【００５８】
図８は本実施例における信号処理回路102における、信号処理ブロック図を示したものである。撮像装置101からの信号は、WB回路141によって、ホワイトバランス調整がされる。例えば白色点を指定して、その領域における撮像装置の出力値の逆数に相当するゲインをかけられて出力される。WB回路から出力された信号はマトリックス回路142により、色調整される。一般的に、RGBからRGBへ変換する3×3のマトリックスが用いられる。マトリックス回路142により出力されたRGB信号は色信号用ガンマ回路143によってガンマ変換され、さらに色差信号生成回路144によって色差信号に変換される。前記色差信号は色差ゲイン回路145によって色差ゲインを、色相変換回路146によって色相調整されて出力される。一方、前記WB回路141から出力された信号は輝度信号生成回路147によって輝度信号が生成され輝度信号用ガンマ変換回路148によってガンマ変換される。また、前記WB回路141から出力された信号は広帯域信号生成回路150によって広帯域信号が生成される。また、前記広帯域信号と前記輝度信号は、加算回路148によって加算されて出力され、色差信号と共にバッファメモリ103に格納される。
【００５９】
図７は本実施例における、画質設定パラメータ画面と色分布図を同時に表示させている様子を示した図である。ユーザインターフェース112において、画質パラメータの設定を変えると、そのパラメータに沿って、信号処理回路に設定する画像パラメータを変更する。
【００６０】
例えば、彩度をプラスに設定すると、JpegのYUV信号のうちUV信号に、前記色差ゲイン回路145において強いゲインをかけることで、彩度アップさせることが可能となる。
【００６１】
例えば、色相を赤側に設定した場合には、具体的に+10度回転の場合、
【００６２】
【数３】
2009088886.tif 000005
という変換に対して、θ＝10度とすることで、色相回転が実現できる。
【００６３】
もちろん、CIELABのab平面で同様の演算を行っても良いことは言うまでもない。
【００６４】
ホワイトバランスを変更された場合には、例えばあらかじめ黒体放射軸および色温度と撮像装置が出力する色評価値との関係をあらかじめ求めておき、その値に沿ってホワイトバランスの制御パラメータを変更しても良い。
【００６５】
ホワイトバランス・彩度・色相・コントラストが調整された画像がバッファメモリ103に蓄積されることで、第1実施例と同様に色相平面図の分布の状態が変化される。つまり、画質パラメータを変化させることで、瞬時に色分布の変化を確認でき、画質パラメータの選択が容易となる。
【００６６】
このように、撮影装置において色分布図を表示することによって、撮影画像の色分布がヒストグラム表示よりも、利用者は、より視覚的に色味を確認することが可能となる。
【００６７】
また、図１に示すシステムコントローラ１１１が行う各処理は、専用のハードウェアにより実現されるものであってもよく、また、システムコントローラはメモリおよびＣＰＵにより構成され、各処理を実現する為のプログラムをメモリに読み込んで実行することによりその処理を実現させるものであってもよい。
【００６８】
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。
【００６９】
また、本発明の目的は、前述した実施形態の機能を実現するプログラムを記録した記録媒体（または記憶媒体）を、撮像システムまたは撮像装置に供給し、その撮像システムまたは撮像装置のコンピュータが記録媒体に格納されたプログラムを読み出し実行することによっても達成される。また、コンピュータが読み出したプログラムの指示に基づき、コンピュータ上で稼働しているオペレーティングシステム（ＯＳ）などが実際の処理の一部または全部を行い、その処理によって前述した実施形態の機能が実現される場合も含まれる。
【００７０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示にもとづき、その機能拡張ボードや機能拡張ユニットに備わるＣＰＵなどが実際の処理の一部または全部を行い、その処理によって前述した実施形態の機能が実現されてもよい。
【００７１】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００７２】
【図１】本発明の第一実施形態における撮像装置の概略構成を示すブロック図である。
【図２】撮像素子１０１の有する色フィルタの配列例を示す図である。
【図３】第１実施例における顔色相平面図である
【図４】第１実施例における輝度色相平面図を示す図である。
【図５】第１実施例における複数の顔を検出した場合の、顔色相表示画面を示す図である。
【図６】第１実施例における、標準肌色表示画面を表示した例を示す図である。
【図７】第１実施例における画質設定表示画面
【図８】第２実施例における処理ブロック図
【図９】本発明の第１実施例における顔検出フローチャート
【図１０】本発明の顔検出方法を示した図である。
【図１１】本発明の顔検出時における肌色抽出領域を示した図である。
【符号の説明】
【００７３】
１０１  撮像装置
１０２  信号処理回路
１０３  バッファメモリ
１０４  圧縮回路
１０５  記憶装置
１０６  記憶媒体
１０８  表示制御回路
１０９  D/Aコンバータ
１１０  モニタ装置
１１１  システムコントローラ
１１２  ユーザインターフェース
１１３  データメモリ
１２０  顔領域色相分布解析手段
１２１  色分布図生成手段
１３０  顔位置検出手段
１４１  WB回路
１４２  マトリックス回路
１４３  色信号用ガンマ変換回路
１４４  色差信号生成回路
１４５  色差ゲイン回路
１４６  色相変換回路
１４７  輝度信号生成回路
１４８  輝度信号用ガンマ変換回路
１４９  加算回路
１５０  広帯域信号生成回路
１５１  ３次元LUT回路
【図１】
2009088886.tif 000006
【図２】
2009088886.tif 000007
【図３】
2009088886.tif 000008
【図４】
2009088886.tif 000009
【図５】
2009088886.tif 000010
【図６】
2009088886.tif 000011
【図７】
2009088886.tif 000012
【図８】
2009088886.tif 000013
【図９】
2009088886.tif 000014
【図１０】
2009088886.tif 000015
【図１１】
2009088886.tif 000016